(57)【特許請求の範囲】
【請求項１】
少なくとも先側付近が可撓性を有していて先端近傍の側壁部に軸線方向と平行に複数の切れ目が形成された外套管と、上記外套管内に軸線方向に進退自在に挿通されて先端が上記外套管の最先端部に連結された操作ワイヤと、上記切れ目の長手方向の中央より先側位置に上記操作ワイヤの可撓性部分が存在しないように上記外套管の最先端部から上記切れ目の長手方向の中央より後方位置までの全範囲で上記操作ワイヤの先端部分を曲がらないようにするための硬直化手段と、上記操作ワイヤを手元側から上記外套管に対して進退操作するための操作部とを有し、
上記操作部において上記操作ワイヤを牽引することによって上記外套管先端の切れ目と切れ目との間の帯状部が外方に膨出するようにしたことを特徴とする内視鏡用異物回収具。
【請求項２】
上記操作ワイヤを牽引量のあい異なる複数の位置で静止させるためのストッパが上記操作部に設けられている請求項１記載の内視鏡用異物回収具。
【請求項３】
上記外套管の内腔を介して上記外套管先端の切れ目部分から吸引をするための吸引接続部が上記外套管の基端側に設けられている請求項１又は２記載の内視鏡用異物回収具。
【請求項４】
上記吸引接続部が上記操作部に設けられている請求項３記載の内視鏡用異物回収具。
【発明の詳細な説明】
【０００１】
【発明の属する技術分野】
この発明は、内視鏡を介して体腔内等から異物を回収するための内視鏡用異物回収具に関する。
【０００２】
【従来の技術】
従来の内視鏡用異物回収具は、例えば実公昭６２−１４８１１号等に示されるように、複数の可撓性ワイヤをかご状に曲げて形成されたバスケットが、外套管の先端から出し入れされることによって膨縮するようになっている。
【０００３】
【発明が解決しようとする課題】
しかし、複数のワイヤをかご状に形成するのは加工が難しくて、特殊な治工具を準備したり製造に時間がかかってコスト高になる。
【０００４】
また、可撓性ワイヤをかご状に膨らませて形成されるバスケットは膨らむ力が弱いので、体腔内の細い管腔内等では広がりにくく、胆汁などのように粘度の高い液に触れた場合にはくっつき合って広がりにくい。
【０００５】
また、バスケットを形成する複数の可撓性ワイヤの後端部は一まとめに結束されるので、その部分が太くなることによって外套管の外径が太くなってしまい、細い処置具挿通チャンネルに挿通して使用することができない。
【０００６】
そこで本発明は、製造が容易で、使用時には広がりやすく、しかも外套管の外径を細く形成することができて細い処置具挿通チャンネルに挿通して使用することができる内視鏡用異物回収具を提供することを目的とする。
【０００７】
【課題を解決するための手段】
上記の目的を達成するため、本発明の内視鏡用異物回収具は、少なくとも先側付近が可撓性を有していて先端近傍の側壁部に軸線方向に平行に複数の切れ目が形成された外套管と、上記外套管内に軸線方向に進退自在に挿通されて手元側から進退操作される操作ワイヤと、上記操作ワイヤを進退操作するための操作部とを有し、上記操作部において上記操作ワイヤを牽引することによって上記外套管先端の切れ目と切れ目との間の帯状部が外方に膨出するようにしたことを特徴とする。
【０００８】
なお、上記操作ワイヤを牽引量のあい異なる複数の位置で静止させるためのストッパが上記操作部に設けられていてもよい。また、上記外套管の内腔を介して上記外套管先端の切れ目部分から吸引をするための吸引接続部が上記外套管の基端側に設けられていてもよく、その場合、上記吸引接続部が上記操作部に設けられていてもよい。
【０００９】
また、上記帯状部の長手方向の中央より先側に上記操作ワイヤの可撓性部分が存在しないように上記操作ワイヤの先端部分を曲がらないようにするための硬直化手段が設けられていてもよい。
【００１０】
【発明の実施の形態】
図面を参照して本発明の実施の形態を説明する。
図１は、本発明の第１の実施の形態の内視鏡用異物回収具を示しており、図示されていない内視鏡の処置具挿通チャンネルに挿脱される可撓性外套管１１は、ナイロン、ＨＤＰＥ（ポリエチレン）、ポリウレタン樹脂又は四フッ化エチレン樹脂等を素材としている。なお、外套管１１は、少なくとも先端付近が可撓性を有していればよい。
【００１１】
外套管１１の先端近傍の側壁部には、軸線方向に平行に複数の切れ目１５が形成されている。切れ目１５は、９０°間隔で４箇所に形成されている。ただし、本発明は必ずしもそれに限定されるものではなく、切れ目１５は３〜８箇所に形成してもよく、それより多くてもよい。
【００１２】
外套管１１の先端部分は、切れ目１５で切り分けられることによって、各切れ目１５と切れ目１５との間の部分が、帯状部１６に形成され、その部分を軸線方向に圧縮させると、図１に示されるように、各帯状部１６が外方に膨出する。
【００１３】
ただし、外套管１１に圧縮方向に力が加わっていない自然状態では、図２及び III−III 拡大正面断面図である図３に示されるように、帯状部１６は膨出していない。なお図３は、切れ目１５がハッチング線と紛らわしくならないようにするために、４５°回転させた状態で示してある。
【００１４】
外套管１１内には全長にわたって操作ワイヤ１３が挿通されている。外套管１１と操作ワイヤ１３との間の隙間を吸引通路として用いることができるように、操作ワイヤ１３の直径は外套管１１の内径に対して隙間ができるように設定されている。
【００１５】
操作ワイヤ１３の先端は、外套管１１の先端に固着された先端チップ１４にはんだ付け等によって固着されており、外套管１１に対して操作ワイヤ１３を基端側に牽引することによって帯状部１６が膨出する。
【００１６】
外套管１１の基端は操作部２０の外筒２１に接続固定されている。外筒２１は注射筒状であり、操作ワイヤ１３の基端が固着されたピストン状の操作軸２２が軸線方向に進退自在に内挿されている。その嵌合部にはシール用のＯリング２３が取り付けられている。
【００１７】
外筒２１から突出した操作軸２２の基端には、操作者の手の親指を係止させるためのリング状の第１の指掛け２４が形成されており、外筒２１の外周部には、人指し指と中指を係止させるために二つの鍔を間隔をあけて突設した第２の指掛け２５が形成されている。
【００１８】
操作軸２２の外周面には、図１中に併示された輪郭図にも示されるようなＬ字状の溝２７が形成されていて、外筒２１から内方に突設されたピン２８の先端部分が、その溝２７に係合している。
【００１９】
したがって、ピン２８を溝２７の横溝部２７ａに係合させると、操作軸２２を軸線方向に動かすことができない状態になる。この時は、ワイヤ１３が先側へ押し出されるので、帯状部１６が真っ直ぐに伸ばされた状態になる。
【００２０】
図１に示されるように、ピン２８を溝２７の直線部２７ｂに係合させれば、操作軸２２が軸線方向に可動になり、操作ワイヤ１３を牽引して帯状部１６を外方に膨出させることができる。
【００２１】
直線部２７ｂの底面の途中には、小さな突起２９（ストッパ）が３箇所に突設されていて、その各部において、ピン２８が引っ掛かって操作軸２２を静止させることができるようになっている。
【００２２】
ただし、ピン２８が突起２９に引っ掛かった状態で操作軸２２を軸線方向に少し力を入れて押し引きすれば、ピン２８が突起２９を乗り越えて操作軸２２が移動する。
【００２３】
したがって、ピン２８と突起２９は操作軸２２の移動に対していわゆるクリックとして作用し、外筒２１に対する操作軸２２の静止位置を変えることによって、帯状部１６の膨出量の大きさを３段階に任意に選択することができる。
【００２４】
操作軸２２の外筒２１から突出した部分には、図示されていない外部の吸引装置に接続される吸引接続口金３１が形成されていて、操作軸２２の軸線部に貫通して穿設された吸引通路３２が、吸引接続口金３１に連通している。
【００２５】
したがって、吸引接続口金３１に吸引チューブを接続することにより、吸引通路３２、外筒２１の内腔及び外套管１１の内腔を通って、外套管１１先端の切れ目１５部分から吸引を行うことができる。
【００２６】
このように構成された内視鏡用異物回収具は、使用時には、図示されていない内視鏡の処置具挿通チャンネルに外套管１１を通し、まず、操作ワイヤ１３を最大限に牽引して帯状部１６を大きく膨出させる。
【００２７】
そして、図４及びそのＶ−Ｖ断面である図５に示されるように、帯状部１６の膨出によって大きく開いた切れ目１５に、体腔内の異物１００を挟んでから、帯状部１６の膨出を小さくするように操作ワイヤ１３を先側に押し込む。
【００２８】
すると、切れ目１５の広がりが小さくなって、図５に示されるように、隣り合う二つの帯状部１６と操作ワイヤ１３との間に異物１００が挟み付けられて把持された状態になる。
【００２９】
帯状部１６は円弧状断面を有しているので、異物１００を広い面積で内方にしっかりと押しつけ固定して、確実に捕獲することができる。このようにして外套管１１の先端に異物１００を把持したら、そのまま内視鏡ごと体腔内から抜き出すことによって異物１００を回収することができる。
【００３０】
また、異物１００を把持する際に、吸引接続口金３１に吸引チューブを接続して切れ目１５から吸引が行われるようにしておけば、切れ目１５部分に捕獲された異物１００が、吸引力によってその位置から脱落しないので、図６に示されるように、複数の異物１００を連続的に捕獲することができる。
【００３１】
なお、操作ワイヤ１３が最先端部分まで可撓性を有していると、図７に示されるように、操作ワイヤ１３が牽引された時に、外套管１１の先端部分が一方向に折れ曲がって、首を振ってしまう場合がある。
【００３２】
そこで、例えば図８及び図９に示されるように、帯状部１６の長手方向の中央より先側に操作ワイヤ１３の可撓性部分が存在しないように、操作ワイヤ１３の先端部分にパイプ３４を被覆したり、はんだ等によって硬化処理３５を施してもよい。このようにすることにより、外套管１１の先端部分の首振りを防止することができる。
【００３３】
【発明の効果】
本発明によれば、操作部において操作ワイヤを牽引することによって外套管先端の切れ目と切れ目との間の帯状部が外方に膨出するようにしたので、操作ワイヤを牽引することによって帯状部を確実に膨出させ、それによって開いた切れ目部分に異物を確実に把持して回収することができる。
【００３４】
しかも、そのような把持部は可撓性を有する外套管に切れ目を形成するだけでよいので、製造が容易であり、複数のワイヤを束ねる必要もなくて外形を細く形成することができるので、細い内視鏡の処置具挿通チャンネルにも使用することができる。
【図面の簡単な説明】
【図１】本発明の実施の形態の内視鏡用異物回収具の帯状部が膨出した状態の側面断面図である。
【図２】本発明の実施の形態の内視鏡用異物回収具の帯状部が膨出していない状態の先端部分の側面図である。
【図３】図２における III−III 拡大断面図である。
【図４】本発明の実施の形態の内視鏡用異物回収具の異物を把持した状態の先端部分の側面図である。
【図５】図４におけるＶ−Ｖ断面図である。
【図６】本発明の実施の形態の内視鏡用異物回収具の、吸引を動作させて複数の異物を同時に把持した状態の先端部分の側面図である。
【図７】外套管の先端部分が首を振った状態の内視鏡用異物回収具の先端部分の側面断面図である。
【図８】本発明の第２の実施の形態の内視鏡用異物回収具の先端部分の側面断面図である。
【図９】本発明の第３の実施の形態の内視鏡用異物回収具の先端部分の側面断面図である。
【符号の説明】
１１  外套管
１３  操作ワイヤ
１５  切れ目
１６  帯状部
２０  操作部
３１  吸引接続口金
【図１】
0003758765.tif 000002
【図２】
0003758765.tif 000003
【図３】
0003758765.tif 000004
【図４】
0003758765.tif 000005
【図５】
0003758765.tif 000006
【図６】
0003758765.tif 000007
【図７】
0003758765.tif 000008
【図８】
0003758765.tif 000009
【図９】
0003758765.tif 000010